(57)【特許請求の範囲】
【請求項１】
筒体の端部に電線を嵌入するスリットを設け、前記筒体端に電線の脱抜を防止するキャップ又はリングを嵌装すると共に、前記筒体の側壁へ支柱に嵌着できるＵ字状挟着具を取付けたことを特徴とする鳥獣防護電線の保持具。
【請求項２】
板体の上部に設けた側片と中央片とにより電線挟持部を設け、該挟持部にカバーを装着し、前記板体の下部にスペーサーを介して支柱装着するＵ字状挟着具を取付けたことを特徴とする鳥獣防護電線の保持具。
【請求項３】
請求項１又は２記載の保持具により保持された電線の一端に電線固定用の碍子を連結し、該碍子を接続金具に固定し、該接続金具にコイルスプリングの一端を固定し、該コイルスプリングの他端に金具を介して支柱固定用のＵ字状挟着具を連結したことを特徴とする鳥獣防護電線の張設具。
【発明の詳細な説明】
【０００１】
【発明の属する技術分野】
この発明は、高圧電流が通電される鳥獣防護電線であって、必要長さに亘って架設される電線を、均等条件で張設架設する為に、電線を所定区間毎に保持すると共に、緊張状態を保たせることを目的とした鳥獣防護電線の保持具及び張設具に関する。  
【０００２】
【従来の技術】
従来より、雀、椋鳥、烏、鳩、ヒヨドリといった鳥が、水田、畑、果樹園に侵入し、農作物を食い荒らす鳥害を防御する目的で鳥獣防護用の電線に関する発明、考案の提案がある（特開２０００−１０６８１１公報、実用新案登録第３０１２２０７号）。
【０００３】
この鳥獣防護用の電線は、鳥が作物を啄むときに、一旦付近の高い止まり木に降り立つという鳥の習性を利用して、鳥が留まったときに、鳥に高電圧の電気ショックを与える鳥の撃退方法に使用するものである。
【０００４】
【発明により解決しようとする課題】
前記鳥獣防護用の電線を架設すべき水田や畑、果樹園は、広大な面積であり、電線は、緊張状態で均一の態様にあることが好ましいが、電線が長くなる程、緊張状態を保つことが難しいという問題点があった。
【０００５】
また、鳥獣防護用の電線は、前記のように、当該電線に鳥が留まった際に、高電圧による電気ショックを与えて鳥を撃退するものであるから、鳥が電線に留まっても電線を直線状態に保つ必要がある。鳥が留まった際の電線の弛みを少なくするには、電線の保持点を増やす必要があり、電線の保持点を増やすために、支柱の数を増やす必要がある。
【０００６】
しかし、電線の保持点が増えるということは、それだけ、電線架設の労力及び資材が増えることにもなり、形状によっては、支柱が鳥の止まり木ともなる問題点があった。
【０００７】
さらに、鳥が留まっていない状態のときであっても、適度な張り具合を保っていることが好ましい。すなわち、鳥の習性を利用していることを考えれば、電線があまりに弛んでいることは、鳥を電線に留まらせる上からも好ましくない。電線を弛みなく架設するためには、電線を架設する場所の両端の支柱へ電線をしっかりと引き寄せながら、電線の端部を夫々の支柱へ固定し、かつ常時一定の張力を付与する必要がある。
【０００８】
【課題を解決するための手段】
この発明は、電線を挟着保持すると共に、コイルスプリングを介して支柱へ張設架設することにより、弛みが少なく、かつ、常時張力を保つようにして、前記の問題点を解決したものである。  
すなわち、保持具の発明は、筒体の端部に電線を嵌入するスリットを設け、前記筒体端に電線の脱抜を防止するキャップ又はリングを嵌装すると共に、前記筒体の側壁へ支柱に嵌着できるＵ字状挟着具を取付けたことを特徴とする鳥獣防護電線の保持具である。  
また他の発明は、板体の上部に設けた側片と中央片とにより電線挟持部を設け、該挟持部にカバーを装着し、前記板体の下部にスペーサーを介して支柱装着するＵ字状挟着具を取付けたことを特徴とする鳥獣防護電線の保持具である。
また張設具の発明は、請求項１又は２記載の保持具により保持された電線の一端に電線固定用の碍子を連結し、該碍子を接続金具に固定し、該接続金具にコイルスプリングの一端を固定し、該コイルスプリングの他端に金具を介して支柱固定用のＵ字状挟着具を連結したことを特徴とする鳥獣防護電線の張設具である。
【０００９】
【発明の実施の形態】
鳥獣電線保持具の本体部の材質は、電線には、数千ボルトの電圧が印加されるため、これに耐え得る樹脂等の絶縁材料を採用している。
【００１０】
本体部は、一端に電線を挟持するスリットを設けた筒体とすることができる。このスリットは、電線を挿通し、保持できる幅及び深さを有していればよい。スリットの深さは、キャップ側にもスリットを設ければ、本体部のスリットとキャップのスリットとが重なるのでその分だけ浅くすることができる。
【００１１】
前記キャップは、本体部のスリットの幅を狭めるように本体部に被冠し、スリットで電線を加圧挟着し、電線が動かないように、装着することが好ましい。また、キャップにより、本体部内部へ雨水、ごみ等が浸入することを防止し、スリット部の電線が濡れないようにすることが好ましいが、キャップに替えて、単なるリングを本体部のスリットが設けられている周囲へ装着することもできる。
【００１２】
本体部は、電線を挟着できるものであればよいので、筒体に替えて、板体とすることもできる。板体には、２以上のスリットを設けて、そこに、電線を互い違いに挟持させることによって、電線を保持することができる。
【００１３】
取付手段は、支柱への取り付け、取り外しがワンタッチで完了するようにＵ字状の挟着具とすることができる。Ｕ字状の挟着具は、Ｕ字の開口側が外側に向かって滑らかに湾曲させておけば、支柱への装着時は、当該湾曲部を支柱に当接させ、押し込むことによって、挟着具の弾性によって開口側が開き、支柱に装着できる。支柱から取り外すときも、開口部が挟着具の弾性によって開いて、容易に取り外すことができる。また、取付手段としては、本体部の筒体を、直接支柱の上端部へ被せることもできる。
【００１４】
張設具のコイルスプリングは、架設後の電線が大きく弛まない程度の張力を付与できる弾力を有していればよい。
【００１５】
また、張設具の支柱への固定手段は、前記鳥獣防護電線保持具の取り付けられた取付手段と同様のＵ字状挟着具を採用することができる。
【００１６】
【実施例１】
以下、図面を用いてこの発明の実施例を説明する。
【００１７】
図１から図３に示すように、この発明の鳥獣防護用の公知の電線２（絶縁テープの長縁に導電線を埋設し、前記導電線を所定間隔毎に露出させてある）の保持具１は、筒体３からなる本体部の上側にスリット４ａ、４ｂが直径方向に縦に設けられると共に、支柱への取付手段であるＵ字状挟着具５が筒体３とほぼ直角をなす方向に向かって取り付けられ、さらに、筒体３の上側には、前記スリット４ａ、４ｂの幅を狭め電線２を挟着固定できるようにキャップ６が被冠されて構成されている。
【００１８】
前記電線２は、絶縁テープの両側縁に夫々ステンレス捩り線よりなる導電線が埋設され、その外側を所定間隔で露出させたものである。その幅Ｗ（図１）は、１２ｍｍ程度、厚さＴ（図１）は、２ｍｍ程度である。
【００１９】
前記筒体３は、外径２２ｍｍ、内径１６ｍｍ、厚さ３ｍｍの樹脂製のパイプであり、スリット４ａ、スリット４ｂは、筒体３の上端から切り込まれており、その深さは、前記電線２の幅Ｗに、キャップ６の深さを加えた深さにしてある。前記スリット４ａ、４ｂの幅は、前記電線２の厚さＴより僅かに広くし、スリット４ａとスリット４ｂとは、直線的に設けられている。
【００２０】
Ｕ字状挟着具５は、筒体３にスペーサ７を介してボルト８とナット９によって取り付けられている。Ｕ字状挟着具５は、筒体３が田畑等に直立設置された支柱に装着できるように、前記筒体３とスペーサ７とはほぼ直角をなしている。
【００２１】
またＵ字状挟着具５の開口部５ａ、５ｂはそれぞれ矢示１０ａ、１０ｂの方向に開くように滑らかに湾曲させてあり、このように湾曲させることによって、矢示１１（図２）に方向に保持具１を押し込むときに、開口部５ａ、５ｂはそれぞれ、矢示１０ａ、１０ｂのように開き、保持具１を容易に支柱に装着することができる。
【００２２】
前記キャップ６は、図３（ａ）のような、前記スリット４ａ、４ｂに電線２を差し込み、挟持させた後、筒体３に被冠させてスリット４ａ、４ｂの幅を狭め電線２を加圧挟着する。同様の作用を有する図３（ｂ）に示すような、リング１４を使用することもできる。このリング１４は、図３（ｂ）に示すように切れ目１４ａを設けておけば、筒体３への装着が容易になる。
【００２３】
以上のように構成された、保持具１の、支柱への取り付け方法を、図２、図８を用いて説明する。
【００２４】
まず、本体部である筒体３を、保持具１を設置すべき支柱へ取り付けていく。このとき、Ｕ字状挟着部５を支柱へ矢示１１の向きに当接後、押し込んで、支柱へ装着、固定するが、Ｕ字状挟着具の弾性によって、開口部５ａ、５ｂが開くので、ワンタッチで支柱に装着することができる。なお、筒体３を装着すべき位置、すなわち、支柱の間隔や、支柱における上下方向の高さは、撃退の対象とする鳥の大きさ、習性等を考慮して決定する。なお、支柱の間隔については、電線２の重量等を考慮すると、５ｍ程度の間隔が好ましい。
【００２５】
全ての支柱に筒体３を取り付けた後は、矢示１２の方向に電線２をスリット４ａ、４ｂに差し込んで挟持させ、ついで、キャップ６を矢示１３の向きに筒体３の上端に被冠させれば、図８に示す状態となり、電線２の架設が完了する。その後は、電線２を電源に接続すれば、使用可能となる。なお、図８中、３２は、鳥害から防護すべき、作物である。
【００２６】
以上の過程で、架設現場において、一切工具を用いることがないので、電線架設に要する、時間労力を軽減することができる。
【００２７】
【実施例２】
次に、この発明の他の実施例を、図４を用いて説明する。
【００２８】
この実施例の保持具１５が、前記実施例１の保持具１と異なる点は、図４（ａ）に示すように、キャップ１６に、キャップ６と異なり、スリット１６ａ、１６ｂ（不図示）が設けられている点である。
【００２９】
図４（ｂ）は、キャップ１６を用いた保持具１５に電線２を保持させた状態の説明図であるが、筒体１７のスリット１７ａの位置と、キャップ１６のスリットの位置は組み立てによって重なるため、筒体１７の高さも、実施例１の筒体３と比較して低くすることができる。また、電線２は、キャップ１６のスリットと筒体１７のスリットとで挟持されるため、実施例１の保持具と比較して、安定して保持される。さらに、キャップ１６の下端部１６ｃは、保持された電線２の下縁２ａよりも下側に位置することになり、雨水等は前記下端部１６ｃから流れ落ちるので、キャップ１６上にかかった雨水等が、スリット１７ａ、１７ｂに溜まることが軽減される。
【００３０】
【実施例３】
さらに他に実施例について、図５を用いて説明する。
【００３１】
図５に示した、保持具１８が、実施例１の保持具１と異なる点は、Ｕ字状挟着具５の筒体３への取り付け方法である。すなわち、実施例１の保持具１では、筒体３と支柱とが平行となるようにＵ字状挟着具５が取り付けられていたが、この実施例では、筒体３が支柱とほぼ直角をなすようにＵ字状挟着具５が取り付けられている。
【００３２】
すなわち、Ｕ字状挟着具５は、筒体３の下端の開口部に取り付けられている。このようにＵ字状挟着具５を筒体３に取り付けると、電線２は、実施例１の場合（図１）とは異なり、幅広い面が地面と平行となるように架設されることとなる。
【００３３】
前記電線２は、幅広い面が地面と垂直となるように、すなわち、図１図示のように設置される方が、鳥が留まったときの撓みに対する強度の点から有利である。しかし、撃退の対象とする鳥の習性等によって、図５図示のように幅広い面が地面と平行となるように架設した方が、鳥を留まらせる点で有利な場合には、図５図示のような保持具１８を用いて架設することができる。
【００３４】
【実施例４】
更に他の実施例を、図６を用いて説明する。
【００３５】
この実施例の保持具１９が、前記実施例と異なる点は、本体部の筒体３に替えて、板体２０を採用している点である。また、キャップ６の役割を果たすものとしてカバー２１が取り付けられている。
【００３６】
絶縁材よりなる板体２０には、図６（ｂ）に示すように、スリット２２ａ、２２ｂが設けられている。このスリット２２ａ、２２ｂによって、板体２０の上部は、側片２０ａ、２０ｂ及び中央片２０ｃとに分割されている。電線２は、この両側片２０ａ、２０ｂ、中央片２０ｃと互い違いになるように挟持され、スリット２２ａ、２２ｂに装着される。
【００３７】
また、この板体２０には、前記実施例１の保持具１と同様に、スペーサ７を介してＵ字状挟着具５が取り付けられている。
【００３８】
カバー２１は、板状の材料を折り返して作製したものであり、板体２０へ上側から被せ、電線２の挟持部を覆って、雨水、ごみ等の付着を防止するものである。
【００３９】
このように構成された保持具１９は、前記実施例と同様に使用されるので、その使用方法についての説明は省略する。
【００４０】
【実施例５】
次に、電線２の張設具の実施例について、図７を用いて説明する。
【００４１】
張設具３３は、コイルスプリング２３の一端に支柱への固定手段が取り付けられている共に、他端に碍子２５が取り付けられて構成されている。
【００４２】
固定手段は、前記の実施の保持具１等に用いられたものと同一形状のＵ字状挟着具２４であり、コイルスプリング２３とは、八の字状の金具２６を介して取り付けられている。金具２６を介して取り付けていることによって、固定手段の回転の自由度が上がっており、支柱２７への取り付けの作業性が向上している。
【００４３】
碍子２５は、コイルスプリング２３の、前記固定手段２４が取り付けられているのとは反対側に取り付けられた接続金具２８に固定されている。碍子２５には、前記電線２が巻き付けられており、該電線２の一端は、電源に接続され、他端側は、鳥から防護すべき田畑側へ架設されている。
【００４４】
このように構成された張設具３３は、電線２の端部の設置に用いられる。電線２の架設時は、コイルスプリング２３を矢示３０の方へ伸ばしてＵ字状挟着具２４を支柱２７側へ引き寄せて、Ｕ字状挟着具２４を支柱２７へワンタッチで取り付ける。Ｕ字状挟着具２４が支柱２７に取り付けられた後は、コイルスプリング２３の弾性によって、前記電線２は、適度な張力が保たれて架設されることになる。また、電線２に鳥が留まっても、コイルスプリング２３が矢示３１の方向に引っ張られることによって、電線２に加わる応力が緩和される。
【００４５】
以上、この発明の好ましい実施例について説明したが、この発明は、これらの実施例に限定されるものではなく、特許請求の範囲に記載された事項の範囲内で、種々の形態に変更可能である。
【００４６】
例えば、保持具の発明において、前記実施例では、スリット４ａとスリット４ｂとは、一直線上に設けているが、角度をつけて設けることもできる。保持具は、電線２を架設すべき田畑の角部に取り付ける場合に、電線２を折り曲げる支点とする場合があるが、筒体においてスリットを角度をつけて設けておけば、電線２を緩やかに折り曲げることができ応力を緩和することができる。
【００４７】
また、図９（ａ）に示すように、支柱への取付手段を変更することもできる。図９（ａ）図示の保持具は、図１図示の保持具１の支柱への取付手段であるＵ字状挟着具５に代えて、筒体３の下端側に拡径部３ａを設けて、当該拡径部３ａを、直接支柱２７の上端部に被せて取り付けるようにしたものである。
【００４８】
図９（ｂ）図示の保持具も、同様に、図５図示の保持具１８のＵ字状挟着具に代えて、筒体３と直角方向へ取付手段としてのパイプ３４を取り付け、当該パイプ３４を支柱２７の上端部に被せるようにしたものである。
【００４９】
また、前記各実施例のキャップ、リング、筒体の上端の形状は円形であって鳥が留まれる形状である。キャップ等には通電されていないから、キャップ等に鳥が留まってしまうと、鳥を有効に撃退することができない。このため、支柱の上端を含めて、キャップ、リング、筒体の上端の形状を、例えば、尖形にしておくなどの工夫をすることができる。
【００５０】
【発明の効果】
この発明によれば、常時、電線の均一の緊張状態を保つことができ、また、鳥獣防護電線の保持具の取り付け、及び電線の保持、電先端部の取り付けを容易に行えるため、電線架設の時間、労力を緩和することができる効果がある。
【図面の簡単な説明】
【図１】  この発明の実施例の使用状態の斜視図。
【図２】  同じく架設手順の説明図。
【図３】  （ａ）  同じく実施例に用いるキャップの一部断面した斜視図。
（ｂ）  同じくキャップに替えて装着されるリングの斜視図。
【図４】  （ａ）  同じく他の実施例のキャップの斜視図。
（ｂ）  同じく（ａ）のキャップの使用状態の斜視図。
【図５】  更に他の実施例の使用状態の斜視図。
【図６】  （ａ）  同じく他の実施例の使用状態における一部を断面した概念図。
（ｂ）  同じくカバーを取り外し、板体の上端側を断面した概念図。
【図７】  この発明の、張設具の実施例の斜視図。
【図８】  この発明の実施例の保持具を畑に設置した状態の説明図。
【図９】  （ａ）同じく支柱への取付手段の他の実施例の使用状態の斜視図。
（ｂ）同じく支柱への取付手段の他の実施例の使用状態の斜視図。
【図１０】  この発明の鳥害防止装置の実施例の正面図。
【図１１】  同じく平面図。
【符号の説明】
１、１５、１８、１９  保持具
２  鳥獣防護用の電線
３  筒体
３ａ  拡径部
４ａ、４ｂ、１７ａ、１７ｂ  スリット
５、２４  Ｕ字状挟着具
６  キャップ
７  スペーサ
１４  リング
１６ａ、１６ｂ  スリット
２０  板体
２１  カバー
２２ａ、２２ｂ  スリット
２３  コイルスプリング
２５  碍子
３３  張設具
３４  鳥害防止装置
３５  掴み棒
３６  取付具
【図１】
0003763056.tif 000002
【図２】
0003763056.tif 000003
【図３】
0003763056.tif 000004
【図４】
0003763056.tif 000005
【図５】
0003763056.tif 000006
【図６】
0003763056.tif 000007
【図７】
0003763056.tif 000008
【図８】
0003763056.tif 000009
【図９】
0003763056.tif 000010
【図１０】
0003763056.tif 000011
【図１１】
0003763056.tif 000012